(57)【要約】【課題】従来の携帯デバイス用固定具においては、携帯デバイスの表示画面を見るために、携帯デバイスを手に持つ必要があり、両手がふさがっている場合や、手を使って携帯デバイスを持つことが困難な障害者等にとっては、表示画面を見ることができない場合があるという課題があった。【解決手段】携帯デバイス１００を固定して保持する保持部１１と、保持部１１の携帯デバイス１００の下端側の端部である下端１１２、または底面１１４を、ユーザに当接させた状態で、前記携帯デバイス１００の上方をユーザに懸架する懸架部材１２と、を備えるようにした。【選択図】図１
2009010905.tif 000002
【特許請求の範囲】
【請求項１】
携帯デバイスの下端または底面をユーザに当接させた状態で、当該携帯デバイスの上方を、ユーザに懸架する懸架部材を備えた携帯デバイス用固定具。
【請求項２】
前記携帯デバイスを固定して保持する保持部を更に具備し、
前記懸架部材は、当該保持部に取り付けられている請求項１記載の携帯デバイス用固定具。
【請求項３】
前記懸架部材は、前記携帯デバイスの表示画面が、ユーザの正面に向き合うように、前記携帯デバイスの上方を懸架する請求項１または請求項２記載の携帯デバイス用固定具。
【請求項４】
前記懸架部材は、前記保持部の上部の両端に取り付けられ、前記携帯デバイスの表示画面に対して反対側の面上で一部が束ねられており、
前記懸架部材の束ねられた部分には、滑り止め部材が設けられている請求項３記載の携帯デバイス用固定具。
【請求項５】
携帯デバイスを固定して保持する保持部と、
前記携帯デバイスの表示画面をユーザに向けた状態で、当該保持部を着脱可能に取り付け可能な腕帯とを備えた携帯デバイス用固定具。
【請求項６】
前記携帯デバイスは、表示画面部とキーボード部とが折りたたみ可能な構造を有しており、
前記携帯デバイスの表示画面部の側面と、前記携帯デバイスのキーボード部の側面とを牽引して、前記携帯デバイスの開く角度を制限する牽引部材をさらに備えた請求項１から請求項５いずれか記載の携帯デバイス用固定具。
【請求項７】
前記携帯デバイスは、表示画面部とキーボード部とが折りたたみ可能な構造を有しており、
前記保持部の上端に、当該保持部の前記携帯デバイスのキーボード部が固定される面に対して略垂直な面内において回動可能に取り付けられた支え棒をさらに備えた請求項１から請求項５いずれか記載の携帯デバイス用固定具。
【発明の詳細な説明】
【技術分野】
【０００１】
本発明は、携帯デバイスを固定するための固定具等に関するものである。
【背景技術】
【０００２】
従来、携帯電話を固定するための構造として、携帯電話の底面等に胸ポケット等に引っかけるためのクリップを設けた構造が知られていた（例えば、特許文献１参照）。
【特許文献１】特開平１１−４２８３号公報（第１頁、第１図等）
【発明の開示】
【発明が解決しようとする課題】
【０００３】
しかしながら、従来は、携帯電話等の携帯デバイスの画面等を見る場合、一旦、携帯電話を手に取って、画面をユーザ側に向ける必要があった。このため、両手がふさがっている場合、画面を見ることができず、両手を使った作業時等においては作業を中断しなければならず、利便性が悪いという課題があった。
【０００４】
また、特に、障害者等にとっては、手を使って、携帯デバイスを持つことが困難な場合がある。このような場合において、携帯デバイス画面に様々な情報を表示したとしても、第三者のサポートがなければ、携帯デバイスの画面を見ることができなかった。
【課題を解決するための手段】
【０００５】
本発明の携帯デバイス用固定具は、携帯デバイスの下端をユーザに当接させた状態で、当該携帯デバイスの上方を、ユーザに懸架する懸架部材を備えた携帯デバイス用固定具である。
【０００６】
かかる構成により、ユーザが携帯デバイスを手に持たなくても、携帯デバイスの表示画面に表示される画像を見ることが可能となり、利便性を向上させることができる。
【０００７】
また、上記携帯デバイス用固定具において、前記携帯デバイスを固定して保持する保持部を更に具備し、前記懸架部材は、当該保持部に取り付けられているものである。
【０００８】
かかる構成により、携帯デバイスに懸架部材を取り付ける必要がなく、携帯デバイスを保持部から着脱することで、携帯デバイスを容易に交換したり、メンテナンスしたり、充電したりすることができる。
【０００９】
また、本発明の携帯デバイス用固定具は、携帯デバイスを固定して保持する保持部と、前記保持部の前記携帯デバイスの下端側の端部である下端、または底面を、ユーザに当接させた状態で、前記携帯デバイスの上方をユーザに懸架する懸架部材と、を備えたものである。
【００１０】
かかる構成により、ユーザが携帯デバイスを手に持たなくても、携帯デバイスの表示画面に表示される画像を見ることが可能となり、利便性を向上させることができる。
【００１１】
また、上記携帯デバイス用固定具において、前記懸架部材は、前記保持部の上端に取り付けられているものである。
【００１２】
かかる構成により、携帯デバイスに懸架部材を取り付ける必要がなく、携帯デバイスを保持部から着脱することで、携帯デバイスを容易に交換したり、メンテナンスしたり、充電したりすることができる。
【００１３】
また、上記携帯デバイス用固定具において、前記保持部の下端に設けられた第一のクリップとをさらに備えたものである。
【００１４】
かかる構成により、保持部の下端をユーザに当接させた位置で固定することができる。
【００１５】
また、上記携帯デバイス用固定具において、前記保持部の底面の上端に設けられた第二のクリップとをさらに備えたものである。
【００１６】
かかる構成により、保持部の底面をユーザに当接させた位置で固定することができる。
【００１７】
また、上記携帯デバイス用固定具において、前記保持部の下端に沿って横方向に広がって配置される板状のガイド部材をさらに備えたものである。
【００１８】
かかる構成により、保持部が横方向に動くのを抑えて、携帯デバイスを安定させることができる。
【００１９】
また、上記携帯デバイス用固定具において、前記ガイド部材は、前記保持部の底面に回動可能に取り付けられているものである。
【００２０】
かかる構成により、ガイド部が不要な場合には、邪魔にならないようにガイド部を閉じて収納しておくことができる。
【００２１】
また、上記携帯デバイス用固定具において、前記懸架部材は、前記携帯デバイス側に対して反対側の部分に、当該懸架部材をユーザに固定する固定用クリップを備えているものである。
【００２２】
かかる構成により、携帯デバイスを、固定用クリップが留められる範囲で、自由な位置に配置することができる。
【００２３】
また、上記携帯デバイス用固定具において、前記懸架部材は、前記携帯デバイス側に対して反対側の部分に、当該懸架部材をユーザの首に掛けるストラップを備えているものである。
【００２４】
かかる構成により、懸架部材を固定する手間を簡略化することができる。
【００２５】
また、上記携帯デバイス用固定具において、前記懸架部材は、前記携帯デバイスの表示画面が、ユーザの正面に向き合うように、前記携帯デバイスの上方を懸架するものである。
【００２６】
かかる構成により、ユーザが携帯デバイスを手に持たなくても、視線を変更するだけで容易に、携帯デバイスの表示画面に表示される画像を見ることが可能となり、利便性を向上させることができる。
【００２７】
また、上記携帯デバイス用固定具において、前記懸架部材は、前記保持部の上部の両端に取り付けられ、前記携帯デバイスの表示画面に対して反対側の面上で一部が束ねられており、前記懸架部材の束ねられた部分には、滑り止め部材が設けられているものである。
【００２８】
かかる構成により、ユーザが動いても、携帯デバイスの位置が大きくずれたりしてディスプレイの視認性を妨げないようにすることができる。
【００２９】
また、本発明の携帯デバイス用固定具は、携帯デバイスを固定して保持する保持部と、前記携帯デバイスの表示画面をユーザに向けた状態で、当該保持部を着脱可能に取り付け可能な腕帯とを備えたものである。
【００３０】
かかる構成により、ユーザが携帯デバイスを手に持たなくても、携帯デバイスの表示画面に表示される画像を見ることが可能となり、利便性を向上させることができる。
【００３１】
また、上記携帯デバイス用固定具において、前記携帯デバイスは、表示画面部とキーボード部とが折りたたみ可能な構造を有しており、前記携帯デバイスの表示画面部の側面と、前記携帯デバイスのキーボード部の側面とを牽引して、前記携帯デバイスの開く角度を制限する牽引部材をさらに備えたものである。
【００３２】
かかる構成により、携帯デバイスがユーザの動作等によって、表示画面が見にくい角度となるまで開いてしまうことを防ぐことができる。
【００３３】
また、上記携帯デバイス用固定具において、前記携帯デバイスは、表示画面部とキーボード部とが折りたたみ可能な構造を有しており、前記保持部の上端に、当該保持部の前記携帯デバイスのキーボード部が固定される面に対して略垂直な面内において回動可能に取り付けられた支え棒をさらに備えたものである。
【００３４】
かかる構成により、携帯デバイスの開く角度に制限を加えて、携帯デバイスがユーザの動作等によって、表示画面が見にくい角度となるまで開いてしまうことを防ぐことができる。また、支え棒を回動させれば、容易に、携帯デバイスの開く角度の制限をなくすことができる。
【発明の効果】
【００３５】
本発明によれば、利便性に優れた携帯デバイス用固定具を提供することができる。
【発明を実施するための最良の形態】
【００３６】
以下、携帯デバイス用固定具等の実施形態について図面を参照して説明する。なお、実施の形態において同じ符号を付した構成要素は同様の動作を行うので、再度の説明を省略する場合がある。
【００３７】
（実施の形態１）
図１は、本実施の形態における携帯デバイス用固定具の構成を示すための、携帯デバイスを携帯デバイス用固定具に取り付けた状態の、携帯デバイスの斜視図である。
【００３８】
図２は、本実施の形態における携帯デバイス用固定具の構成を示すための携帯デバイス用固定具に取り付けた携帯デバイスを閉じた状態を示す斜視図である。
【００３９】
図３は、携帯デバイス用固定具の構成を示すための携帯デバイスを取り外した状態の斜視図である。
【００４０】
図４は、携帯デバイス用固定具の保持部の右側面図である。
【００４１】
図５は、携帯デバイス用固定具の保持部の底面図である。
【００４２】
図６は、携帯デバイス用固定具の、使用時の状態を示す保持部の底面図である。
【００４３】
携帯デバイス用固定具１は、保持部１１、懸架部材１２、固定用クリップ１３、第一のクリップ１４、第二のクリップ１５、およびガイド部材１６を具備する。
【００４４】
図１に示すように、携帯デバイス１００は、保持部１１に取り付けられて保持される。携帯デバイス１００は、例えば、携帯電話や、ＰＤＡや、ハンドヘルドコンピュータ、ポータブルゲーム機、携帯型ビデオプレーヤ等の携帯可能な情報処理端末である。本実施の形態においては、携帯デバイス１００が、表示画面が設けられている表示画面部１００ａと、キーボードが設けられているキーボード部１００ｂと、で折りたたみ可能な構造を有する、いわゆる折りたたみ式の携帯電話である場合を例に挙げて説明している。なお、ここでは、携帯デバイス１００の表示画面１０１の上部方向を携帯デバイス１００の上側、携帯デバイス１００の表示画面１０１の下部方向を携帯デバイス１００の下側とする。
【００４５】
保持部１１は、携帯デバイス１００を固定して保持する。保持部１１は、係止部１１１と、内側に湾曲した複数の板ばね状の部材である挟持片１１５とを備えた、板状の部材である。ただし、突起や、折れ曲がった部分を有していても良いし、他の部材等が取り付けられていても良い。保持部１１の材質は、金属、プラスチック等問わない。保持部１１は、弾性を有する複数の挟持片１１５により携帯デバイス１００を挟持することで、携帯デバイス１００を着脱可能に保持する。ただし、保持部１１が携帯デバイス１００を固定し、保持する機構は問わない。また、保持部１１の長手方向の上側の一端に設けられた係止部１１１は、携帯デバイス１００の上側の側面等と当接されて、上側方向へのずれを防止する。ただし、係止部１１１は省略可能である。ここで述べる上側とは、保持部１１に取り付けられる携帯デバイスの上側と同じ方向である。ここでは、折り曲げられた携帯電話の、キーボード部１００ｂの上側方向の側面であるキーボード部１００ｂの上端１０２が、係止部１１１に当接されている。
【００４６】
懸架部材１２は、携帯デバイス１００の上方を、ユーザに懸架する部材である。具体的には、懸架部材１２は、保持部１１の下端１１２または底面１１４、あるいは携帯デバイス１００の下端１０３または底面１０４をユーザに当接させた状態で携帯デバイス１００の上方を、ユーザに懸架する。携帯デバイス１００は、ユーザに当接された部分で支えられる。好ましくは、懸架部材１２は、携帯デバイスの表示画面１０１が、ユーザの正面に向き合うように、携帯デバイスの上方を懸架する。ここで述べる正面に向き合う、とは、ユーザが正面を向いた状態で表示画面１０１全体を見ることができる状態にあることであり、ユーザが下を向けば、表示画面１０１全体を見ることができることから、表示画面１０１がほぼ上方に向いている状態も含むと考えてよい。このように懸架することで、ユーザが表示画面１０１を見ることができる。携帯デバイス１００の上方を懸架した状態で携帯デバイス１００の表示画面１０１を、最終的にユーザが見ることができる位置で支持できれば、保持部１１や携帯デバイス１００を、ユーザのどの部分を当接させてもよい。なお、保持部１１や携帯デバイス１００の下端または底面の全面が、ユーザに当接される必要はなく、少なくとも一部が当接されていれば良い。また、直接当接されていなくてもよく、例えば、底面１１４に設けられた第一のクリップ１４等がユーザに当接されることで、底面１１４が間接的に当接されても良い。懸架部材１２は、例えば、ひも状の部材や帯状の部材であり、チェーンやボールチェーン等であっても良い。懸架部材１２の材質等は問わない。ここでは、懸架部材１２は、環状の形状を有しているが、環状でなくてもよい。懸架部材１２は、携帯デバイス１００の表示画面部１００ａの表示画面１０１が設けられている面と反対側の面である底面に、図２に示すように、粘着テープ１７で固定されている。ただし、携帯デバイスの表示画面１０１が、ユーザの正面に向き合うように、携帯デバイス１００の上方を懸架できれば、懸架部材１２の携帯デバイス１００への取り付け方は問わない。例えば、携帯デバイス１００の上方に、懸架部材１２を取り付ける孔等があれば、この孔に懸架部材を取り付けても良い。また、懸架部材１２は、携帯デバイス１００を直接懸架しても、間接的に懸架しても良い。例えば、懸架部材１２は、携帯デバイス１００が固定された保持部１１を懸架することで、間接的に携帯デバイス１００の上方を懸架しても良い。懸架部材１２の、携帯デバイス１００側に対して反対側の部分に、当該懸架部材１２をユーザに固定する固定用クリップ１３を備えている。固定用クリップ１３は、ワニ口クリップ等、衣服等を挟むことができるものであればよい。この固定用クリップ１３で、ユーザの衣服等を挟むことで、懸架部材１２の携帯デバイス１００側に対して反対側の部分を、ユーザの衣服等に固定して、携帯デバイス１００をユーザに懸架することができる。なお、固定用クリップの代わりに、衣服等に吊り下げるための部材、例えば、鉤状の部材等を備えるようにしてもよい。また、環状のひも状部材、あるいは環状の帯状部材である懸架部材１２の、携帯デバイス１００側に対して反対側の部分を、ストラップとして、ユーザの首や肩、腕等にかけられるようにしてもよい。懸架部材１２は長さが調整できる機構を備えたものであることが好ましい。
【００４７】
第一のクリップ１４は、保持部１１の底面１１４側の下端１１２に設けられており、当該第一のクリップ１４でユーザの衣服等を挟むことで、保持部１１の下端を、ユーザに当接させた状態で固定する。第一のクリップ１４は、ユーザの衣服等を挟むことができるクリップであれば、どのようなクリップであってもよい。なお、第一のクリップ１４は、携帯デバイス１００を保持する際の邪魔にならなければ、保持部１１の表面の下端１１２に設けられていてもよい。なお、第一のクリップ１４は、保持部１１の下端１１２の形状や、携帯デバイス１００の重心等の組み合わせによって、保持部１１の下端１１２や底面を、ユーザに当接させた状態を保つことが可能であれば、省略してもよい。
【００４８】
第二のクリップ１５は、保持部１１の底面１１４の上端近傍１１４ａに設けられており、当該第二のクリップ１５でユーザの衣服等を挟むことで、保持部１１の底面１１４の上端近傍１１４ａを、ユーザに固定する。第二のクリップ１５は、ユーザの衣服等を挟むことができるクリップであれば、どのようなクリップであってもよい。なお、第二のクリップ１５は、保持部１１の上端近傍１１４ａが、ユーザに接しない場合等や、上端近傍１１４ａを固定する必要がない場合には、省略してもよい。
【００４９】
ガイド部材１６は、保持部１１の下端１１２に沿って横方向に広がって配置される板状の部材であり、ガイド部材１６の材質は、金属、プラスチック等問わない。保持部１１の下端１１２や底面１１４を、ユーザに当接させている際に、横ずれ等を防いで安定させるために用いられる。ここでは、ガイド部材１６は、保持部１１の底面１１４に、ハトメ１６１等で回動可能に取り付けられた２枚の羽状の部材により構成されており、未使用時には、図５に示すように、保持部１１の上方に回転させて収納されている。そして、使用時には、図６に示すように、保持部１１の下方に回転させることで、ガイド部材１６が、保持部１１の下端側において保持部１１の幅よりも広げて配置される。ここでは、特に、２つのガイド部材１６の、保持部１１の下端側の辺が、それぞれ略三角形形状の第一のクリップ１４の辺に当接されることで、ガイド部材１６が、保持部１１の下端側において保持部１１の幅よりも広げられた状態で保持される。このようにガイド部材１６を回転可能とすることで、未使用時にはガイド部材１６が邪魔にならないようにすることができる。ただし、携帯デバイスを、常に、この携帯デバイス用固定具１を用いて、ユーザに懸架した状態で利用する場合等には、ガイド部材１６は、予め固定されていても良い。なお、ガイド部材１６の幅を広げたり閉じたりする機構としては、他の機構を用いることも可能である。なお、ガイド部材１６は、省略しても良い。
【００５０】
図７は、携帯デバイス用固定具１の第一の使用例を示す図である。ここでは、保持部１１の下端を、ユーザの胸部の下方に当接させ、当接させた部分を支えとして、折り曲げた部分をほぼ全開とした携帯デバイス１００の表示画面１０１がユーザの正面に向くように、携帯デバイス１００の上方、ここでは携帯デバイス１００の表示画面部１００ａを懸架部材１２でユーザに懸架している。懸架部材１２は、固定用クリップ１３をユーザの胸部の上方を挟むことで、携帯デバイス１００の上方を懸架している。ここでは、ガイド部材１６が横方向に広がっていることにより、ユーザが動いても、携帯デバイス１００の横方向の移動が、ガイド部材１６により抑えられ、携帯デバイス１００がユーザの胸部近傍に安定して位置することとなる。また、第一のクリップ１４は、保持部１１の下端がユーザに当接される位置において、ユーザの衣服を挟んでいる。これにより、ユーザが動いた際等に、携帯デバイス１００の位置が動いて、携帯デバイス１００の表示画面１０１がユーザの正面から離れてしまうことを防いでいる。なお、この場合、第二のクリップ１５は、使用しないため省略してよい。
【００５１】
図８は、携帯デバイス用固定具１の第二の使用例を示す図である。ここでは、保持部１１の底面１１４を、ユーザの胸部の下方に当接させ、当接させた部分を支えとして、折り曲げた部分をほぼ９０度に開いた携帯デバイス１００の表示画面１０１がユーザの正面、ここではほぼ上方を向くように、携帯デバイス１００の上方、ここでは携帯デバイス１００の表示画面部１００ａを懸架部材１２でユーザに懸架している。懸架部材１２は、固定用クリップ１３をユーザの胸部の上方を挟むことで、携帯デバイス１００の上方を懸架している。また、第一のクリップ１４は、保持部１１の下端がユーザに当接される位置において、ユーザの衣服を挟んでいる。また、第二のクリップ１５は、保持部１１の底面１１４において、ユーザの衣服を挟んでいる。これにより、ユーザが動いた際等に、携帯デバイス１００の位置が動いて、携帯デバイス１００の表示画面１０１がユーザの正面から離れてしまうことを防いでいる。なお、第二のクリップ１５で、携帯デバイス１００が安定して固定される場合、第一のクリップ１４を省略してよい。また、ここでは、ガイド部材１６を収納したまま使用しているが、携帯デバイス１００が安定しない場合、ガイド部材１６を広げてもよい。ガイド部材１６を広げない場合、ガイド部材は省略しても良い。
【００５２】
図９は、携帯デバイス用固定具１の第三の使用例を示す図である。ここでは、保持部１１の底面１１４を、ユーザの上腕部の内側に当接させ、当接させた部分を支えとして、折り曲げた部分をほぼ９０度に開いた携帯デバイス１００の表示画面１０１がユーザの正面に向くように、携帯デバイス１００の上方、ここでは携帯デバイス１００の表示画面部１００ａを懸架部材１２でユーザの上腕部の上方側に懸架している。懸架部材１２は、固定用クリップ１３をユーザの上腕部の上方を挟むことで、携帯デバイス１００の表示画面部１００ａを懸架している。また、第一のクリップ１４は、保持部１１の下端がユーザに当接される位置において、ユーザの上腕部の衣服を挟んでいる。また、第二のクリップ１５は、保持部１１の底面１１４において、ユーザの上腕部の衣服を挟んでいる。これにより、ユーザが動いた際等に、携帯デバイス１００の位置が動いて、携帯デバイス１００の表示画面１０１がユーザの正面から離れてしまうことを防いでいる。なお、第二のクリップ１５で、携帯デバイス１００が安定して固定される場合、第一のクリップ１４を省略してよい。また、ここでは、ガイド部材１６を収納したまま使用しているが、携帯デバイス１００が安定しない場合、ガイド部材１６を広げてもよい。ガイド部材１６を広げない場合、ガイド部材は省略しても良い。
【００５３】
ここで、ユーザが携帯デバイスを操作する場合を考える。例えば、図１０に示すように、携帯デバイス用固定具１を取り付けた携帯デバイス１００が、ユーザの上腕部に取り付けられている場合、第一のクリップ１４および第二のクリップ１５をはずし、携帯デバイス１００を操作しやすい角度に開いて、携帯デバイス１００のキーボード部１００ｂを、携帯デバイス１００が固定された手と逆の手で保持し、キーボードを操作すればよく、操作を瞬時に行うことができる。
【００５４】
以上、本実施の形態においては、携帯デバイス１００あるいは携帯デバイス１００を取り付けた保持部１１の下端または底面を、ユーザに当接させた状態で、当該携帯デバイス１００の上方を、懸架部材１２でユーザに懸架するようにしたことにより、ユーザが携帯デバイスを手に持たなくても、例えば移動しながら、携帯デバイスの表示画面に表示される画像を見ることが可能となり、簡易な構造によって、利便性を向上させることができる。
【００５５】
特に、このような携帯デバイス用固定具１を用いることで、携帯デバイス１００を手に持ちながら行動することが困難な障害者等に対して、携帯デバイス１００を介して、行動しながらスケジュールや手順等の指示を与えることが可能となる。
【００５６】
なお、上記実施の形態において、図７に示すように、懸架部材１２を固定用クリップ１３でユーザの衣服等に固定するかわりに、図１１に示すように、ストラップ状の懸架部材１２をユーザの首等にかけたりするようにしても良い。
【００５７】
また、上記実施の形態において、図９に示すように保持部１１を腕に取り付ける場合、図１２に示すように、保持部１１の上端近傍１１４ａに２つの孔１１３を設け、当該保持部１１の孔１１３に、腕に巻くための環状のひも状部材１５０を取り付け、このひも状部材１５０に腕を通す、あるいは巻き付けることで、保持部１１をユーザの腕に、緩やかに取り付けられるようにしても良い。このようにすることで、保持部１１のずれを緩和できるとともに、懸架部材１２が外れた場合に、携帯デバイス用固定具１全体が落下してしまうことを防ぐことができる。なお、ひも状部材１５０の着脱を可能とするために、ひも状部材１５０の一端に、孔１１３に対して着脱可能な鉤状部材１５１を設けるようにしても良い。なお、孔１１３の数は、携帯デバイス１００の上方を安定して懸架できれば、いくつでも良い。また、ひも状部材１５０は、幅のあるベルト状のものであってもよい。
【００５８】
また、上記実施の形態において、懸架部材１２を携帯デバイス１００に粘着テープ１７等で取り付ける代わりに、図１３に示すように、保持部１１の上部に２つの孔１１９を設け、懸架部材１２を保持部１１の孔１１９等に取り付けるようにして、当該保持部１１の孔１１９が設けられた上部を懸架部材１２で懸架することで、携帯デバイス１００の上方を、間接的にユーザに懸架するようにしても良い。このとき、図１６に示すように、二つの孔１１９に取り付けられた懸架部材１２同士を束ねるようにし、この束ねた部分に滑り止めの部材１６０を取り付けておいても良い。この滑り止め部材１６０は、携帯デバイス１００の表示画面部１００ａの滑りを止めて、表示画面部１００ａの位置がずれたりするのを防ぐためのものであり、滑り止め部材１６０の取り付け位置は、保持部１１に表示画面１０１が折りたたみ可能な携帯デバイス１００を取り付けた状態で、携帯デバイス１００の表示画面部１００ａの表示画面１０１と反対側の面に、滑り止め部材１６０が当接されるような位置であることが好ましい。すなわち懸架部材１２同士は、携帯デバイス１００の表示画面１０１に対して反対側の面上で束ねることが好ましい。なお、懸架部材１２同士をどのように束ねても良く、例えば滑り止め部材１６０により懸架部材１２同士を束ねても良い。また、ここで述べる「束ねる」とは、結果的に一本の懸架部材に集束された構造となっていれば良く、束ねた部分の懸架部材１２を一本の懸架部材に置き換えることも含む概念であるとする。この滑り止め部材１６０の材質は、当該滑り止め部材１６０を携帯デバイス１００の表示画面１０１と反対側の面に当接された状態で滑りにくい材質であれば良く、例えば、シリコンゴム等のゴムや、ウレタンや、剥離可能な粘着剤等が塗布されたものであっても良い。このような構成とすることで、携帯デバイス１００に直接、懸架部材１２を取り付ける必要がなく、このため、携帯デバイス１００を保持部１１から着脱することで、携帯デバイス１００を容易に交換したり、メンテナンスしたり、充電したりすることができる。なお、懸架部材１２は、保持部材の孔１１９以外の部分に取り付けるようにしてもよい。
【００５９】
また、上記実施の形態において、保持部１１を省略するようにし、図１４に示すように、携帯デバイス１００の下端をユーザに当接させ、あるいは、図１５に示すように、携帯デバイス１００の底面１０４をユーザに当接させ、当接させた部分を支えとして、携帯デバイス１００に取り付けた懸架部材１２を用いて、携帯デバイス１００の上方を、ユーザに懸架するようにしても良い。ユーザの動きが小さい場合等には、このような構成としても、携帯デバイスをユーザに当接させて、携帯デバイス１００の表示画面１０１をユーザの正面に固定できるため、上記と同様の効果を奏するとともに、携帯デバイス用固定具１の構成を簡略化することができる。
【００６０】
また、上記実施の形態においては、折りたたみ式の携帯電話を用いた場合について説明したが、本発明においては、折りたたみ式ではない携帯電話や、他の携帯デバイス等にも利用可能なものであることはいうまでもない。例えば折りたたみ式でない携帯電話を用いた場合には、ほぼ、図７と同様の使用形態となる。
【００６１】
（実施の形態２）
図１７は、本実施の形態にかかる携帯デバイス用固定具の構成を示す斜視図である。携帯デバイス用固定具１７０は、保持部１１ａと、当該保持部１１ａを着脱可能に取り付けることが可能な腕帯１７１とにより構成されている。
【００６２】
保持部１１ａは、携帯デバイスを固定して保持する構造を有している。携帯デバイス１００を保持するための構造はどのような構造であっても良く、例えば、上述した保持部１１と同様に、携帯デバイス１００のキーボード部１００ｂの底面、例えばキーボード部１００ｂのキーボードの設けられている面の反対側の面に取り付け可能な構造を有していても良い。例えば、挟持片１１５等を備えた構造を有していてもよい。ただし、上述した保持部１１の懸架部材等を取り付けるための構成等は不要である。また、保持部１１ａの底面、すなわち携帯デバイスが取り付けられている面に対して反対の面には、携帯デバイス１００を腕帯１７１に着脱可能に取り付けるための構造を備えている。この構造については後述する。
【００６３】
腕帯１７１は、腕に取り付けることが可能な帯状の部材である。腕帯の材質等は問わない。腕帯１７１は、例えば、腕を全周するように取り付けられるものであっても良い。本実施の形態においては一例として、腕に巻き付けて、端部をいわゆるマジックテープ（登録商標）等の面ファスナーやボタン等で止めることが可能な、幅の広い布や皮、ゴム等により構成されたベルト状の腕帯１７１を用いた場合について説明している。ただし、腕に嵌めることができる伸縮性を有する腕輪状のものであっても良い。また、腕を全周することなく腕に取り付けられるもの、例えば腕を半周するよう取り付けられるものであっても良い。例えば、腕をはめ込んだりすることが可能な、上腕部等に合わせて湾曲したプラスチックや金属製等の帯状の部材であっても良い。また、クリップと同様の構造により、腕を挟み込むことができる部材であってもよい。また、腕に着脱可能な粘着剤等で貼り付けられる部材であっても良い。腕帯１７１には、保持部１１ａを着脱可能に取り付けるための着脱部１７１１が設けられている。この着脱部１７１１によって、携帯デバイス１００の表示画面１０１を、腕帯１７１をはめたユーザに向けた状態で、携帯デバイス１００を腕帯１７１に着脱可能に取り付けることが可能となっている。携帯デバイス１００の表示画面１０１を腕帯１７１をはめたユーザに向けた状態とは、例えば、表示画面部１００ａをユーザの腕に対してほぼ垂直に立てた状態とした携帯デバイス１００を、腕帯１７１に取り付けることができる状態を示す。
【００６４】
腕帯１７１の着脱部１７１１と、保持部１１ａの底面とを着脱可能に取り付けるための構造である取り付け構造は、容易に着脱可能なものであれば、どのような構造であっても良い。具体的には、保持部１１ａの底面側および腕帯１７１の着脱部１７１１の両方に磁石を設ける、もしくは、磁石と鉄やニッケル等の挙磁性体とを設ける構造とすることで、保持部１１ａの底面を、腕帯１７１の着脱部１７１１に近づけることで、磁力で、保持部１１ａを腕帯１７１の着脱部１７１１に取り付けることができる。なお、磁石や強磁性体は表面に露出していなくても良い。また、保持部１１ａの底面および腕帯１７１の着脱部１７１１のそれぞれの表面にマジックテープ（登録商標）等の面ファスナーのフック面とループ面とを設けるようにしても良い。磁石や、面ファスナーにより取り付けられるようにすることは、取り付け場所を自由に調整でき、かつ、細かい位置調整をせずに誰でも取り付けが行える点で好ましい。ここでは、一例として、着脱部１７１１には、磁石が埋め込まれており、保持部１１ａの底面が鉄により構成されている場合について説明する。
【００６５】
図１８は、携帯デバイス用固定具１ａの使用例を示す図である。ここでは、ユーザの上腕部に腕帯１７１を取り付けるとともに、腕帯１７１の着脱部１７１１の表面に、携帯デバイス１００を保持している保持部１１の鉄により構成された底面を当接させることで、磁力によって保持部１１を着脱部１７１１に固定することで、携帯デバイス１００を上腕状に保持している。このような携帯デバイス用固定具１ａを用いることにより、携帯デバイス１００を予め保持部１１ａに保持しておくことで、携帯デバイス１００の表示を見なたら、両手を使いたい場合には、保持部１１ａを腕帯１７１の着脱部１７１１に固定すればよく、また、携帯デバイス１００を操作したい場合は、携帯デバイス１００を少し力を入れて引っ張るだけで、すぐに保持部１１ａごと携帯デバイス１００を腕帯１７１から取り外して、操作可能な状態とすることができる。
【００６６】
以上、本実施の形態においては、携帯デバイス１００を取り付けた保持部１１ａの底面を、腕帯１７１に着脱可能に固定することができるため、ユーザが携帯デバイスを手に持たなくても、携帯デバイスの表示画面に表示される画像を見ることが可能となり、利便性を向上させることができる。
【００６７】
また、保持部１１ａの底面と、腕帯１７の着脱部１７１１とを取り付けるための機構として、磁石や面ファスナー等を用いるようにしたことで、取り付け場所を自由に調整でき、かつ、細かい位置調整をせずに誰でも取り付けが行えるようにすることができ、細かい動作が不自由な身体に障害を有する人でも、着脱が容易に行えるようにすることができる。
【００６８】
なお、上記実施の形態において、携帯デバイス１００の表示画面部１００ａの側面と、キーボード部１００ｂの側面とを牽引して、携帯デバイス１００の開く角度を所定の角度に制限する牽引部材をさらに備えるようにしてもよい。具体的には、図１９に示すように、保持部１１ａの側面に牽引用の第一の孔１７２を有する第一の留め具１７３を設け、また、表示画面１０１を折りたたみ可能な携帯デバイス１００の表示画面部１００ａの側面に、牽引用の第二の孔１７４を有する第二の留め具１７５を設けるようにし、この孔１７２と孔１７４とに、ひも状の牽引部材１７６の両端を取り付けることで、折りたたみ式の携帯デバイス１００の開いた角度を、牽引部材１７３の長さに応じた所定の角度に固定できるようにしても良い。例えば、牽引部材１７５の長さを、携帯デバイス１００を９０度に開いた状態で、牽引部材１７６にたるみが生じなくなるような長さとしておくことで、携帯デバイス１００の開いた角度を９０度に保つことができる。なお、ここでは、牽引部材１７６の両端には、第一の孔１７２または第二の孔１７４に容易に着脱可能に取り付けられるような鉤状部材１７７、鉤状部材１７８がそれぞれ設けられている。この鉤状部材１７７、１７８を第一の孔１７２または第二の孔１７４に掛けたり外したりすることで、牽引部材１７６を第一の留め具１７３および第二の留め具１７５に対して容易に着脱可能とすることができる。これにより、携帯デバイス１００の角度を、所定の角度に保ちたいときは、鉤状部材１７７および鉤状部材１７８を、第一の孔１７２および第二の孔１７４に掛けるようにする。また、携帯デバイス１００を最大の角度に開く場合等には、鉤状部材１７７または鉤状部材１７８の少なくとも一方を、第一の孔１７２または第二の孔１７４から外すようにすればよい。なお牽引部材１７６の一方には、鉤状部材を設けないようにして、牽引部材１７６を第一の孔１７２または第二の孔１７４から外れないように取り付けておいても良い。
【００６９】
通常、折りたたみ式の携帯デバイスにおいては、表示画面部１００ａが固定される角度が一つに決まっており、任意の角度で、角度を保持しておくことが困難である。このため、腕帯１７１に携帯デバイス１００を固定したとしても、ユーザが動いている間に角度等が変化してしまい、表示が見にくくなってしまうことが考えられる。
【００７０】
これに対して、上記のような構成とすることで、携帯デバイス１００が開いている角度を牽引部材１７６の長さによって、任意の角度に固定することが可能となる。
【００７１】
なお、上記の変形例においては、第二の留め具１７５を、携帯デバイス１００に取り付けるようにしたが、携帯デバイス１００の表示画面１０１や操作面以外の面を覆うように取り付けられるカバー等（図示せず）を用意し、当該カバーの、携帯デバイス１００の表示画面部１００ａの側面に位置する部分に、第二の留め具１７５を設けるようにしても良い。また、このカバーに、第一の留め具１７３を設けるようにしてもよい。
【００７２】
また、本実施の形態において、保持部１１ａの上端に、当該保持部１１ａの携帯デバイス１００が固定される面に対して略垂直な面内において回動可能に取り付けられた支え棒をさらに備えるようにしてもよい。具体的には、図２０に示すように、保持部１１ａの係止部１１１の外側に、回動可能に取り付けられた支え棒１９０を設けるようにしてもよい。この棒状部材１９０を回動させ、図１９に示すように保持部１１ａの底面に対して立てた状態、例えば底面に対して略垂直となる状態とすれば、携帯デバイス１００を開いても、表示画面部１００ａが支え棒１９０に当接された角度以降の角度では、携帯デバイス１００は開かなくなる。この結果、携帯デバイス１００の開く角度をほぼ９０度に保つことが可能となる。また、携帯デバイス１００を最大の角度に開きたい場合等には、支え棒１９０が携帯デバイス１００の表示画面部１００ａに当たらないよう、支え棒１９０を倒しておくようにすればよい。なお、支え棒１９０が表示画面部１００ａに当接する際の、保持部１１ａの底面とのなす角度を変更することで、９０度以外の所望の角度に、表示画面部１００ａの開く角度を変更することができる。
【００７３】
なお、上記の角度を、予め指定された所定の角度に保つための牽引部材１７６や支え棒１９０を用いた構造を、上記実施の形態１において説明した携帯デバイス用固定具に適用しても良いことはいうまでもない。
【００７４】
本発明は、以上の実施の形態に限定されることなく、種々の変更が可能であり、それらも本発明の範囲内に包含されるものであることはいうまでもない。
【産業上の利用可能性】
【００７５】
以上のように、本発明にかかる携帯デバイス用固定具等は、携帯デバイスを固定する固定具として適しており、携帯デバイスの表示画面をユーザが見ることができる状態で、携帯デバイスをユーザに固定する固定具等として有用である。
【図面の簡単な説明】
【００７６】
【図１】本実施の形態１における携帯デバイス用固定具の構成を示す図
【図２】同携帯デバイス用固定具の構成を示す図
【図３】同携帯デバイス用固定具の構成を示す図
【図４】同携帯デバイス用固定具の構成を示す図
【図５】同携帯デバイス用固定具の構成を示す図
【図６】同携帯デバイス用固定具の構成を示す図
【図７】同携帯デバイス用固定具の使用例を示す図
【図８】同携帯デバイス用固定具の使用例を示す図
【図９】同携帯デバイス用固定具の使用例を示す図
【図１０】同携帯デバイス用固定具の使用例を示す図
【図１１】同携帯デバイス用固定具の使用例を示す図
【図１２】同携帯デバイス用固定具の変形例を示す図
【図１３】同携帯デバイス用固定具の変形例を示す図
【図１４】同携帯デバイス用固定具の使用例を示す図
【図１５】同携帯デバイス用固定具の使用例を示す図
【図１６】同携帯デバイス用固定具の変形例を示す図
【図１７】本実施の形態２における携帯デバイス用固定具の構成を示す図
【図１８】同携帯デバイス用固定具の使用例を示す図
【図１９】同携帯デバイス用固定具の変形例を示す図
【図２０】同携帯デバイス用固定具の変形例を示す図
【符号の説明】
【００７７】
１  携帯デバイス用固定具
１１、１１ａ  保持部
１２  懸架部材
１３  固定用クリップ
１４  第一のクリップ
１５  第二のクリップ
１６  ガイド部材
１７  粘着テープ
１００  携帯デバイス
１００ａ  表示画面部
１００ｂ  キーボード部
１０１  表示画面
１０２  側面
１１１  係止部
１１２  下端
１１３、１１９  孔
１１４  底面
１１４ａ  上端近傍
１５０  ひも状部材
１５１  鉤状部材
１７１  腕帯
１７３  第一の留め具
１７５  第二の留め具
１７６  牽引部材
１７７、１７８  鉤状部材
１９０  支え棒
１７１１  着脱部
【図１】
2009010905.tif 000003
【図２】
2009010905.tif 000004
【図３】
2009010905.tif 000005
【図４】
2009010905.tif 000006
【図５】
2009010905.tif 000007
【図６】
2009010905.tif 000008
【図７】
2009010905.tif 000009
【図８】
2009010905.tif 000010
【図９】
2009010905.tif 000011
【図１０】
2009010905.tif 000012
【図１１】
2009010905.tif 000013
【図１２】
2009010905.tif 000014
【図１３】
2009010905.tif 000015
【図１４】
2009010905.tif 000016
【図１５】
2009010905.tif 000017
【図１６】
2009010905.tif 000018
【図１７】
2009010905.tif 000019
【図１８】
2009010905.tif 000020
【図１９】
2009010905.tif 000021
【図２０】
2009010905.tif 000022